(57)【特許請求の範囲】
【請求項１】
制御装置に接続可能な媒体処理装置であって、
時刻を計時するリアルタイムクロックと、
前記リアルタイムクロックの異常を検出する異常検出部と、
媒体に搭載されたＩＣタグに無線通信により所定の情報を書き込む情報書込部と、
制御部と、を備え、
前記制御部は、
前記制御装置から識別情報を受信すると、前記異常検出部をチェックし、
前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、
前記異常検出部が前記リアルタイムクロックの異常を検出したときは、前記情報書込部による前記ＩＣタグへの書き込みを禁止することを特徴とする媒体処理装置。
【請求項２】
報知部を備え、
前記制御部は、
前記異常検出部により前記リアルタイムクロックの異常が検出された場合、前記報知部を制御して報知することを特徴とする請求項１に記載の媒体処理装置。
【請求項３】
前記媒体に記録する記録部を備え、
前記制御部は、
前記異常検出部により前記リアルタイムクロックの異常が検出された場合、前記記録部を制御して、前記媒体に報知情報を記録することを特徴とする請求項１に記載の媒体処理装置。
【請求項４】
前記媒体に記録する記録部と、
報知情報を記憶する記憶部と、を備え、
前記制御部は、
前記異常検出部により前記リアルタイムクロックの異常が検出されなかった場合、前記記録部を制御して、前記識別情報を前記媒体に記録し、
前記異常検出部により前記リアルタイムクロックの異常が検出された場合、前記記録部を制御して、前記記憶部に記憶した前記報知情報を前記媒体に記録することを特徴とする請求項１に記載の媒体処理装置。
【請求項５】
前記異常検出部は、
前記リアルタイムクロックが作動していないことが検出された場合、又は、前記リアルタイムクロックの計時がリセットされていることが検出された場合に、前記リアルタイムクロックの異常として検出することを特徴とする請求項１から請求項４のいずれかに記載の媒体処理装置。
【請求項６】
制御装置に接続可能であり、
時刻を計時するリアルタイムクロックと、
前記リアルタイムクロックの異常を検出する異常検出部と、
媒体に搭載されたＩＣタグに無線通信により所定の情報を書き込む情報書込部と、
を備えた媒体処理装置の制御方法であって、
前記制御装置から識別情報を受信すると、前記異常検出部をチェックし、
前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、
前記異常検出部が前記リアルタイムクロックの異常を検出したときは、前記情報書込部による前記ＩＣタグへの書き込みを禁止することを特徴とする媒体処理装置の制御方法。
【請求項７】
制御装置に接続可能であり、
時刻を計時するリアルタイムクロックと、
前記リアルタイムクロックの異常を検出する異常検出部と、
媒体に搭載されたＩＣタグに無線通信により所定の情報を書き込む情報書込部と、
を備えた媒体処理装置の各部を制御する制御部により実行されるプログラムであって、
前記制御部により、
前記制御装置から識別情報を受信すると、前記異常検出部をチェックさせ、
前記異常検出部が前記リアルタイムクロックの異常を検出しないときは、前記リアルタイムクロックから時刻情報を取得し、当該時刻情報と前記識別情報を前記情報書込部により前記ＩＣタグに書き込みをさせ、
前記異常検出部が前記リアルタイムクロックの異常を検出したときは、前記情報書込部による前記ＩＣタグへの書き込みを禁止するように実行されることを特徴とするプログラム。
【発明の詳細な説明】
【技術分野】
【０００１】
本発明は、媒体に搭載されたＩＣタグに情報を書き込み可能な媒体処理装置、当該媒体処理装置の制御方法、及び、当該媒体処理装置を制御するためのプログラムに関する。
【背景技術】
【０００２】
従来、非接触のＩＣタグ（非接触タグ、ＲＦＩＤタグ）が設けられた媒体（記録媒体、ラベル）に情報を書き込み可能に構成された媒体処理装置（記録装置、ラベルプリンター）が知られている（例えば、特許文献１参照）。
ＩＣタグに情報が書き込まれた媒体は、例えば、以下のように使用される。すなわち、空港のカウンターにおいて顧客から荷物が預けられた際に、当該荷物を搭載すべき飛行機を特定するための情報が媒体のＩＣタグに書き込まれた上で、当該媒体が貼付等の手段により当該荷物に取り付けられる。そして、荷物の飛行機への搭載に際し、当該荷物に取り付けられた媒体のＩＣタグの情報が読み取られ、当該荷物を搭載すべき飛行機の便を識別する。
【先行技術文献】
【特許文献】
【０００３】
【特許文献１】特開２００９−８３４５９号公報
【発明の概要】
【発明が解決しようとする課題】
【０００４】
上述のように、媒体のＩＣタグに書き込まれた情報が、当該媒体が取り付けられた荷物等を識別するために用いられる場合、当該識別を正確に行うため、当該ＩＣタグに書き込まれた情報の正確性が要求される。特に、ＩＣタグに書き込まれた情報は、視認によって認識できるものではなく、情報が書き込まれた時点で、書き込まれた情報が誤りか否かを判別できないため、誤った情報が当該ＩＣタグに書き込まれることを確実に防止することが要求される。
本発明は、上述した事情に鑑みてなされたものであり、媒体のＩＣタグに書き込まれる情報について、書き込まれる情報の特性を踏まえて、誤った情報が書き込まれることを防止することを目的とする。
【課題を解決するための手段】
【０００５】
上記目的を達成するために、本発明は、制御装置に接続可能な媒体処理装置であって、時刻を計時するリアルタイムクロックと、前記リアルタイムクロックの異常を検出する異常検出部と、媒体に搭載されたＩＣタグに無線通信により所定の情報を書き込む情報書込部と、制御部と、を備え、前記制御部は、前記制御装置から識別情報を受信すると、前記異常検出部をチェックし、前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、前記異常検出部が前記リアルタイムクロックの異常を検出したときは、前記情報書込部による前記ＩＣタグへの書き込みを禁止することを特徴とする。
また、本発明の媒体処理装置は、報知部を備え、前記制御部は、前記異常検出部により前記リアルタイムクロックの異常が検出された場合、前記報知部を制御して報知することを特徴とする。
また、本発明の媒体処理装置は、前記媒体に記録する記録部を備え、前記制御部は、前記異常検出部により前記リアルタイムクロックの異常が検出された場合、前記記録部を制御して、前記媒体に報知情報を記録することを特徴とする。
また、本発明の媒体処理装置は、前記媒体に記録する記録部と、報知情報を記憶する記憶部と、を備え、前記制御部は、前記異常検出部により前記リアルタイムクロックの異常が検出されなかった場合、前記記録部を制御して、前記識別情報を前記媒体に記録し、前記異常検出部により前記リアルタイムクロックの異常が検出された場合、前記記録部を制御して、前記記憶部に記憶した前記報知情報を前記媒体に記録することを特徴とする。
また、本発明の媒体処理装置は、前記異常検出部は、前記リアルタイムクロックが作動していないことが検出された場合、又は、前記リアルタイムクロックの計時がリセットされていることが検出された場合に、前記リアルタイムクロックの異常として検出することを特徴とする。
また、本発明は、制御装置に接続可能であり、時刻を計時するリアルタイムクロックと、前記リアルタイムクロックの異常を検出する異常検出部と、媒体に搭載されたＩＣタグに無線通信により所定の情報を書き込む情報書込部と、を備えた媒体処理装置の制御方法であって、前記制御装置から識別情報を受信すると、前記異常検出部をチェックし、前記異常検出部が前記リアルタイムクロックの異常を検出しないときは、前記リアルタイムクロックから時刻情報を取得し、当該時刻情報と前記識別情報を前記情報書込部により前記ＩＣタグに書き込み、前記異常検出部が前記リアルタイムクロックの異常を検出したときは、前記情報書込部による前記ＩＣタグへの書き込みを禁止することを特徴とする。
また、本発明は、制御装置に接続可能であり、時刻を計時するリアルタイムクロックと、前記リアルタイムクロックの異常を検出する異常検出部と、媒体に搭載されたＩＣタグに無線通信により所定の情報を書き込む情報書込部と、を備えた媒体処理装置の各部を制御する制御部により実行されるプログラムであって、前記制御部により、前記制御装置から識別情報を受信すると、前記異常検出部をチェックさせ、前記異常検出部が前記リアルタイムクロックの異常を検出しないときは、前記リアルタイムクロックから時刻情報を取得し、当該時刻情報と前記識別情報を前記情報書込部により前記ＩＣタグに書き込みをさせ、前記異常検出部が前記リアルタイムクロックの異常を検出したときは、前記情報書込部による前記ＩＣタグへの書き込みを禁止するように実行されることを特徴とする。
上記目的を達成するために、本発明は、制御装置に接続可能な媒体処理装置であって、時刻を計時し時刻情報として出力するリアルタイムクロックと、前記リアルタイムクロックの異常を検出する異常検出部と、媒体に搭載されたＩＣタグに無線通信により情報を書き込む情報書込部と、前記媒体の記録面に記録する記録部と、報知情報を記憶する記憶部と、前記情報書込み部と前記記録部を制御する制御部と、を備え、前記制御部は、前記制御装置から識別情報を受信すると、前記異常検出部をチェックし、記異常検出部が前記リアルタイムクロックの異常を検出しないときは、前記記録部により前記識別情報を前記媒体に記録し、前記リアルタイムクロックから前記時刻情報を取得して前記識別情報と共に前記情報書込部により前記ＩＣタグに書き込み、記異常検出部が前記リアルタイムクロックの異常を検出したときは、前記識別情報を前記媒体に記録せず、前記記録部により前記記憶部に記憶した前記報知情報を前記媒体に記録し、前記情報書込部による前記ＩＣタグへの書き込みを行わないことを特徴とする。
この構成では、媒体処理装置は、媒体に記録するための識別情報を受信すると、記録部により媒体に記録する一方、この識別情報をリアルタイムクロックの時刻情報と共に情報書込部によりＩＣタグにも書き込む。制御装置からＩＣタグに書き込むために特別な情報の送信は、必ずしも必要としない。このとき、ＩＣタグに書き込む時刻情報の正確性が要求されるので、誤った時刻に関する情報が書き込まれることを防止する必要がある。そして、上記構成によれば、リアルタイムクロックの異常が検出された場合、記録装置は、書込情報の書き込みをしない。さらに、上記構成によれば、記録装置は、媒体への識別情報の記録をせず、代わりに報知情報を記録する。ユーザーは、媒体への記録が正常に行われていると、ＩＣタグへの時刻情報の書き込みも正常に行われていると認識できる。一方、媒体に報知情報が記録されていると、リアルタイムクロックについて異常が発生していることを認識できる。
【０００６】
また、上記目的を達成するために、本発明は、制御装置に接続可能な媒体処理装置であって、時刻を計時し時刻情報として出力するリアルタイムクロックと、前記リアルタイムクロックの異常を検出する異常検出部と、媒体に搭載されたＩＣタグに無線通信により情報を書き込む情報書込部と、前記媒体の記録面に記録する記録部と、前記制御装置から、記録情報を含み、当該記録情報の前記媒体の前記記録面への記録を指示すると共に、時刻に関する情報を少なくとも含む書込情報の前記媒体の前記ＩＣタグへの書き込みを指示する制御コマンドを受信した場合、前記記録部を制御して前記記録情報を記録すると共に、前記情報書込部を制御して前記リアルタイムクロックから入力された前記時刻情報に基づいて前記書込情報の書き込みを実行する制御部と、を備え、前記制御部は、前記異常検出部により前記リアルタイムクロックの異常が検出された場合、前記制御装置から受信した前記制御コマンドに基づく前記記録情報の記録及び前記書込情報の書き込みを禁止することを特徴とする。
この構成では、記録装置は、リアルタイムクロックの時刻情報に基づく時刻に関する情報を少なくとも含む書込情報をＩＣタグに書き込むため、時刻に関する情報の正確性が要求され、誤った時刻に関する情報が書き込まれることを防止する必要がある。そして、上記構成によれば、リアルタイムクロックの異常が検出された場合、記録装置は、書込情報の書き込みを禁止するため、時刻に関する情報について、リアルタイムクロックの時刻情報に基づくものであるという特性を利用して、誤った情報がＩＣタグに書き込まれることを確実に防止できる。さらに、上記構成によれば、記録装置は、書込情報の書き込みの禁止と併せて、媒体（記録媒体）への記録情報の記録も禁止するため、記録媒体への記録が正常に行われており、ＩＣタグへの情報の書き込みも正常に行われているとの誤認が生じることを防止でき、かつ、記録媒体への記録が禁止されていることをユーザーに認識させることにより、リアルタイムクロックについて異常が発生していることをユーザーに認識させることができる。
【０００７】
また、本発明は、前記異常検出部により前記リアルタイムクロックの異常が検出された場合、その旨報知する報知部をさらに備えることを特徴とする。
この構成によれば、ユーザーは、迅速に、リアルタイムクロックに異常が発生していることを認識でき、対処することが可能となる。
【０００８】
また、本発明は、前記報知部は、前記異常検出部により前記リアルタイムクロックの異常が検出された場合、前記記録部を制御して、前記媒体の前記記録面にその旨記録することを特徴とする。
この構成によれば、記録部を有している、という構成上の特性を効果的に利用して、ユーザーに対して、リアルタイムクロックに異常が発生していることをより確実に認識させることができる。
【０００９】
また、本発明は、前記異常検出部は、前記リアルタイムクロックが作動していないことが検出された場合、又は、前記リアルタイムクロックの計時がリセットされていることが検出された場合、前記リアルタイムクロックの異常を検出することを特徴とする。
ここで、リアルタイムクロックが作動していない場合は、バックアップ電池が切れていたり、接触不良が発生していたりする等の異常が発生しており、リアルタイムクロックは正常に計時動作を行えない。また、リアルタイムクロックがリセットされている場合は、リアルタイムクロックが計時する時刻が誤っている可能性がある。そして、上記構成によれば、リアルタイムクロックの特性を利用して、リアルタイムクロックの異常を適切に検出することができる。
【００１０】
また、上記目的を達成するために、本発明は、制御装置に接続可能に構成され、時刻を計時し時刻情報として出力するリアルタイムクロックと、前記リアルタイムクロックの異常を検出する異常検出部と、媒体に搭載されたＩＣタグに無線通信により情報を書き込む情報書込部と、前記媒体の記録面に記録する記録部と、報知情報を記憶する記憶部と、を備え媒体処理装置の制御方法であって、前記制御装置から識別情報を受信すると、前記異常検出部をチェックし、記異常検出部が前記リアルタイムクロックの異常を検出しないときは、前記記録部により前記識別情報を前記媒体に記録し、前記リアルタイムクロックから前記時刻情報を取得して前記識別情報と共に前記情報書込部により前記ＩＣタグに書き込み、前記異常検出部が前記リアルタイムクロックの異常を検出したときは、前記識別情報を前記媒体に記録せず、前記記録部により前記記憶部に記憶した前記報知情報を前記媒体に記録し、前記情報書込部による前記ＩＣタグへの書き込みを行わないことを特徴とする。
この制御方法によれば、媒体処理装置は、媒体に記録するための識別情報を受信すると、記録部により媒体に記録する一方、この識別情報をリアルタイムクロックの時刻情報と共に情報書込部によりＩＣタグにも書き込む。制御装置からＩＣタグに書き込むために特別な情報の送信は、必ずしも必要としない。このとき、ＩＣタグに書き込む時刻情報の正確性が要求されるので、誤った時刻に関する情報が書き込まれることを防止する必要がある。そして、上記構成によれば、リアルタイムクロックの異常が検出された場合、記録装置は、書込情報の書き込みをしない。さらに、上記構成によれば、記録装置は、媒体への識別情報の記録をせず、代わりに報知情報を記録する。ユーザーは、媒体への記録が正常に行われていると、ＩＣタグへの時刻情報の書き込みも正常に行われていると認識できる。一方、媒体に報知情報が記録されていると、リアルタイムクロックについて異常が発生していることを認識できる。
【００１１】
また、上記目的を達成するために、本発明は、制御装置に接続可能に構成され、時刻を計時し時刻情報として出力するリアルタイムクロックと、媒体に搭載されたＩＣタグ（非接触タグ）に無線通信により情報を書き込む情報書込部と、前記媒体の記録面に記録する記録部と、を備える媒体処理装置の制御方法であって、前記制御装置から、記録情報を含み、当該記録情報の前記媒体の前記記録面への記録を指示すると共に、時刻に関する情報を少なくとも含む書込情報の前記媒体の前記ＩＣタグへの書き込みを指示する制御コマンドを受信した場合、前記記録部を制御して前記記録情報を記録すると共に、前記情報書込部を制御して前記リアルタイムクロックから入力された前記時刻情報に基づいて前記書込情報の書き込みを実行する一方、前記リアルタイムクロックの異常が検出された場合、前記制御装置から受信した前記制御コマンドに基づく前記記録情報の記録及び前記書込情報の書き込みを禁止することを特徴とする。
この制御方法によれば、リアルタイムクロックの異常が検出された場合、記録装置は、書込情報の書き込みを禁止するため、時刻に関する情報について、リアルタイムクロックの時刻情報に基づくものであるという特性を利用して、誤った情報がＩＣタグに書き込まれることを確実に防止できる。さらに、上記制御方法によれば、記録装置は、書込情報の書き込みの禁止と併せて、記録媒体への記録情報の記録も禁止するため、記録媒体への記録が正常に行われており、ＩＣタグへの情報の書き込みも正常に行われているとの誤認が生じることを防止でき、かつ、記録媒体への記録が禁止されていることをユーザーに認識させることにより、リアルタイムクロックについて異常が発生していることをユーザーに認識させることができる。
【００１２】
また、上記目的を達成するために、本発明は、制御装置に接続可能に構成され、時刻を計時し時刻情報として出力するリアルタイムクロックと、前記リアルタイムクロックの異常を検出する異常検出部と、媒体に搭載されたＩＣタグに無線通信により情報を書き込む情報書込部と、前記媒体の記録面に記録する記録部と、報知情報を記憶する記憶部と、を備え媒体処理装置の各部を制御する制御部により実行されるプログラムであって、前記制御部に、前記制御装置から識別情報を受信すると、前記異常検出部をチェックさせ、前記異常検出部が前記リアルタイムクロックの異常を検出しないときは、前記記録部により前記識別情報を前記媒体に記録させ、前記リアルタイムクロックから前記時刻情報を取得して前記識別情報と共に前記情報書込部により前記ＩＣタグに書き込みをさせ、前記異常検出部が前記リアルタイムクロックの異常を検出したときは、前記識別情報を前記媒体に記録せず、前記記録部により前記記憶部に記憶した前記報知情報を前記媒体に記録させ、前記情報書込部による前記ＩＣタグへの書き込みを行わないようにすることを特徴とする。
このプログラムによれば、媒体処理装置は、媒体に記録するための識別情報を受信すると、記録部により媒体に記録する一方、この識別情報をリアルタイムクロックの時刻情報と共に情報書込部によりＩＣタグにも書き込む。制御装置からＩＣタグに書き込むために特別な情報の送信は、必ずしも必要としない。このとき、ＩＣタグに書き込む時刻情報の正確性が要求されるので、誤った時刻に関する情報が書き込まれることを防止する必要がある。そして、上記構成によれば、リアルタイムクロックの異常が検出された場合、記録装置は、書込情報の書き込みをしない。さらに、上記構成によれば、記録装置は、媒体への識別情報の記録をせず、代わりに報知情報を記録する。ユーザーは、媒体への記録が正常に行われていると、ＩＣタグへの時刻情報の書き込みも正常に行われていると認識できる。一方、媒体に報知情報が記録されていると、リアルタイムクロックについて異常が発生していることを認識できる。
【００１３】
また、上記目的を達成するために、本発明は、制御装置に接続可能に構成され、時刻を計時し時刻情報として出力するリアルタイムクロックと、媒体に搭載されたＩＣタグ（非接触タグ）に無線通信により情報を書き込む情報書込部と、前記媒体の記録面に記録する記録部と、を備える媒体処理装置の各部を制御する制御部により実行されるプログラムであって、前記制御部に、前記制御装置から、記録情報を含み、当該記録情報の前記媒体の前記記録面への記録を指示すると共に、時刻に関する情報を少なくとも含む書込情報の前記媒体の前記ＩＣタグへの書き込みを指示する制御コマンドを受信した場合、前記記録部を制御して前記記録情報を記録させると共に、前記情報書込部を制御して前記リアルタイムクロックから入力された前記時刻情報に基づいて前記書込情報の書き込みを実行させる一方、前記リアルタイムクロックの異常が検出された場合、前記制御装置から受信した前記制御コマンドに基づく前記記録情報の記録及び前記書込情報の書き込みを禁止させることを特徴とする。
このプログラムによれば、リアルタイムクロックの異常が検出された場合、記録装置は、書込情報の書き込みを禁止するため、時刻に関する情報について、リアルタイムクロックの時刻情報に基づくものであるという特性を利用して、誤った情報がＩＣタグに書き込まれることを確実に防止できる。さらに、上記プログラムによれば、記録装置は、書込情報の書き込みの禁止と併せて、記録媒体への記録情報の記録も禁止するため、記録媒体への記録が正常に行われており、ＩＣタグへの情報の書き込みも正常に行われているとの誤認が生じることを防止でき、かつ、記録媒体への記録が禁止されていることをユーザーに認識させることにより、リアルタイムクロックについて異常が発生していることをユーザーに認識させることができる。
【発明の効果】
【００１４】
本発明によれば、媒体のＩＣタグに書き込まれる情報について、書き込まれる情報の特性を踏まえて、誤った情報が書き込まれることを防止できる。
【図面の簡単な説明】
【００１５】
【図１】本実施形態に係る媒体処理システムの構成を示す図である。
【図２】専用紙の構成を示す図である。
【図３】媒体処理装置の機能的構成を示すブロック図である。
【図４】媒体処理装置の動作を示すフローチャートである。
【図５】媒体処理装置の動作を示すフローチャートである。
【発明を実施するための形態】
【００１６】
以下、図面を参照して本発明の実施形態について説明する。
図１は、本実施形態に係る媒体処理システム１の基本的な構成を示す図である。図２は、媒体処理装置２によって処理される専用紙１０（媒体、記録媒体）を模式的に示す図である。
媒体処理システム１は、空港の、航空会社等が顧客から荷物を預かるカウンターに適用されるシステムである。そして、媒体処理システム１は、顧客から荷物を預かった場合に、当該荷物を搭載すべき飛行機の便を特定するための情報が記録面に記録され、かつ、後述するＲＦＩＤタグ１１（ＩＣタグ、非接触タグ）に書き込まれたラベル（以下、「荷物ラベル」という。）を発行する機能を有している。発行された荷物ラベルは、貼付等の手段により荷物に取り付けられる。そして、荷物の飛行機への搭載に際し、当該荷物に取り付けられた荷物ラベルのＲＦＩＤタグ１１に書き込まれた情報が専用のリーダーにより読み出される等して当該荷物を搭載すべき飛行機の便が識別され、当該荷物が適切な飛行機の便に搭載される。
【００１７】
図１に示すように、専用紙１０は、複数のラベルブロック１４が所定方向に連続して接合された構成となっている。１つのラベルブロック１４は、１枚の荷物ラベルに対応しており、１枚の荷物ラベルの発行の際は、１つのラベルブロック１４の記録面１４ａに所定の画像が記録されると共に、当該１つのラベルブロック１４のＲＦＩＤタグ１１に所定の情報が書き込まれた後、当該１つのラベルブロック１４が専用紙１０から切り離されることによって発行される。
ラベルブロック１４のそれぞれの所定の位置には、ＲＦＩＤタグ１１が設けられている。ＲＦＩＤタグ１１は、非接触タグであり、後述する媒体処理装置２のリーダーライター機構１５との間で、ＮＦＣ等の所定の規格に通信した近距離無線通信を行う。ＲＦＩＤタグ１１は、アンテナと、ＩＣチップとを有しており、このＩＣチップは、制御回路や、ＲＦ部、変調／復調部として機能する信号処理回路、各種データを書き換え可能、かつ、不揮発的に記憶するＩＣメモリー等を有している。
【００１８】
図１に示すように、媒体処理システム１は、専用紙１０を処理する媒体処理装置２と、当該媒体処理装置２を制御するホストコンピューター３（制御装置）とを有している。
媒体処理装置２にはロール状の専用紙１０を収納する収納部１９が設けられており、媒体処理装置２は、収納部１９に収納された専用紙１０を所定方向に搬送しつつ、専用紙１０を構成するラベルブロック１４のそれぞれに対して適切な処理を施す。
制御部２０は、ＣＰＵや、ＲＯＭ、ＲＡＭ、その他の周辺回路等を備え、媒体処理装置２の各部を中枢的に制御する。すなわり、ＲＯＭには、媒体処理装置２の基本的な動作を制御する制御プログラムが記憶されており、制御部２０のＣＰＵは、当該制御プログラムを読み出して実行することにより、媒体処理装置２の各部を制御する。
インジケーター２１は、複数のＬＥＤを備え、各ＬＥＤの点灯／消灯、及び、点灯するときの色の組み合わせにより、媒体処理装置２の動作モードや、エラーの発生等の各種情報を報知する。
リーダーライター機構１５は、アンテナや、ＲＦ部、変調／復調部として機能する信号処理回路等を備え、専用紙１０のラベルブロック１４に設けられたＲＦＩＤタグ１１と所定の規格に準拠して近距離無線通信を行い、ＲＦＩＤタグ１１のＩＣメモリーの所定の記憶領域に情報を書き込み、また、ＲＦＩＤタグ１１のＩＣメモリーに記憶されている情報を読み出す。以下、ＲＦＩＤタグ１１のＩＣメモリーの所定の記憶領域に情報を書き込むことを、単に、「ＲＦＩＤタグ１１に情報を書き込む」と表現し、また、ＲＦＩＤタグ１１のＩＣメモリーに記憶されている情報を読み出すことを、単に、「ＲＦＩＤタグ１１から情報を読み出す」と表現する。本実施形態では、リーダーライター機構１５、その他の機構、装置が協働して「媒体に搭載されたＩＣタグ（非接触タグ）に無線通信により情報を書き込む情報書込部」として機能する。
【００１９】
記録機構２４は、専用紙１０のラベルブロック１４の記録面１４ａに画像を記録する機構であり、記録ヘッド２５を備えている。記録ヘッド２５は、専用紙１０の搬送方向と交わる方向に発熱素子が並べて設けられたライン式のサーマルヘッドであり、専用紙１０のラベルブロック１４の記録面１４ａに熱を与えてドットを形成し、ドットの組み合わせにより画像を記録する。本実施形態では、記録機構２４、その他の機構、装置が協働して「媒体の記録面に記録する記録部」として機能する。
搬送機構２６は、搬送モーター２７と、この搬送モーター２７に接続されたプラテンローラー２８とを備え、搬送モーター２７の駆動に応じて、プラテンローラー２８が所定方向に回転し、プラテンローラー２８の回転に伴って、専用紙１０が搬送方向に搬送される。
不揮発性のフラッシュＲＯＭなどで構成される記憶部４０は、報知情報などの所定の情報を記憶し、制御部２０が読み出して記録機構２４により専用紙１０に記録する。
ＲＴＣ２９（Real time clock：リアルタイムクロック）は、図示せぬ電池から電力の供給を受けて現在日時（日付、時刻）を計時し、現在日時を示す時刻情報をデータ（以下、「時刻情報データ」という。）として制御部２０に出力するものであり、制御回路のほか、揮発性のＲＴＣ揮発性メモリー２９ａと、不揮発性のＲＴＣ不揮発性メモリー２９ｂとを備えている。ＲＴＣ揮発性メモリー２９ａには、計時された現在日時を示す時刻情報データが、随時、記憶される。また、ＲＴＣ不揮発性メモリー２９ｂには、ＲＴＣ２９の制御用の各種プログラム、データ記憶されるほか、ＲＴＣ２９についてリセットが行われたことを示すリセット有データが記憶される。
ＲＴＣ２９のリセットとは、ＲＴＣ２９に電力を供給する電池が取り外されたり、電池の残量が無くなったり、また、接触不良を起こしたりすることによりＲＴＣ２９に対する電力の供給が遮断され、ＲＴＣ揮発性メモリー２９ａに記憶されたデータが一旦消去された後、ＲＴＣ２９への電力の供給が再開され、ＲＴＣ２９が再び動作することをいう。ＲＴＣ２９のリセットが行われた場合、ＲＴＣ揮発性メモリー２９ａに記憶された時刻情報データが初期値となった後、ＲＴＣ２９の動作が開始されるため、ＲＴＣ揮発性メモリー２９ａに記憶された時刻情報データが示す日時と、実際の日時とが乖離した状態となる。このようなＲＴＣ２９のリセットが発生した場合、ＲＴＣ２９の制御回路は、ＲＴＣ不揮発性メモリー２９ｂにリセットが行われたことを示すリセット有データを記憶する。このリセット有データは、実体的には、ＲＴＣ不揮発性メモリー２９ｂの所定の記憶領域のフラグであってもよい。
【００２０】
ホストコンピューター３は、媒体処理装置２を制御する端末であり、媒体処理装置２の制御用のデバイスドライバーがインストールされており、当該デバイスドライバーの機能により、媒体処理装置２に対して、適宜、制御コマンドや専用紙１０に記録するための情報を送信し、媒体処理装置２を制御する。
【００２１】
図３は、制御部２０の主要な機能の機能ブロックを模式的に示す図である。図３に示す各機能ブロックの機能は、制御部２０のＣＰＵが、ＲＯＭに記憶された基本制御プログラムを読み出して実行する等、ハードウェアとソフトウェアとの協働により実現される。
統括制御部３５は、後述するＲＴＣ制御部３６、ＲＦＩＤタグ読み書き制御部３７、記録制御部３８、及び、表示制御部３９のそれぞれを統括的に制御する。
ＲＴＣ制御部３６は、ＲＴＣ２９を制御する機能ブロックであり、ＲＴＣ時刻設定部３６ａと、ＲＴＣ異常検出部３６ｂ（異常検出部）と、ＲＴＣ情報読出部３６ｃと、を備えている。
ＲＴＣ時刻設定部３６ａは、ＲＴＣ揮発性メモリー２９ａに記憶された時刻情報データを書き換えることにより、ＲＴＣ２９が計時する日時を設定する機能ブロックである。より詳細には、ホストコンピューター３にインストールされたデバイスドライバーには、ＲＴＣ２９が計時すべき日時をユーザーが入力するためのユーザーインターフェイスを提供する機能が実装されている。そして、ユーザーにより当該ユーザーインターフェイスに日時が入力された場合、デバイスドライバーの機能により、ＲＴＣ２９のＲＴＣ揮発性メモリー２９ａに記憶された時刻情報データを、ユーザーにより入力された日時を示す時刻情報データに書き換えさせる制御コマンドが生成され、媒体処理装置２に送信される。当該制御コマンドを受信すると、ＲＴＣ時刻設定部３６ａは、ＲＴＣ２９のＲＴＣ揮発性メモリー２９ａにアクセスし、当該制御コマンドに基づいて、当該メモリーに記憶された時刻情報データを、ユーザーにより入力された日時を示す時刻情報データに書き換える。
【００２２】
ＲＴＣ異常検出部３６ｂは、ＲＴＣ２９の異常を検出する機能ブロックである。ＲＴＣ異常検出部３６ｂは、以下の２つの方法により、ＲＴＣ２９の異常を検出する。
１つ目は、ＲＴＣ異常検出部３６ｂは、ＲＴＣ２９のＲＴＣ揮発性メモリー２９ａにアクセスする。そして、ＲＴＣ揮発性メモリー２９ａへのデータの書き込みや、当該メモリーからのデータの読出した正常に行えない状態の場合、電池の残量不足、接触不良、その他の何らかの原因によりＲＴＣ２９が正常に作動していない状態であるため、ＲＴＣ異常検出部３６ｂは、ＲＴＣ２９の異常を検出する。
２つ目は、ＲＴＣ異常検出部３６ｂは、ＲＴＣ２９のＲＴＣ不揮発性メモリー２９ｂにアクセスする。そして、当該メモリーの所定の記録領域に、リセット有データが記憶されている場合、ＲＴＣ異常検出部３６ｂは、ＲＴＣ２９の異常を検出する。上述したように、ＲＴＣ２９のリセットが行われている場合、ＲＴＣ揮発性メモリー２９ａに記憶された時刻情報データが示す日時と、実際の日時とが乖離した状態となっている可能性があるからである。
【００２３】
ＲＴＣ情報読出部３６ｃは、ＲＴＣ２９のＲＴＣ揮発性メモリー２９ａにアクセスし、当該メモリーに記憶された時刻情報データ（ＲＴＣ２９が計時する現在日時を示すデータ）を取得し、時刻情報として統括制御部３５に出力する。
【００２４】
ＲＦＩＤタグ読み書き制御部３７は、統括制御部３５の制御の下、リーダーライター機構１５を制御して、専用紙１０のラベルブロック１４のＲＦＩＤタグ１１に情報を書き込み、また、ＲＦＩＤタグ１１から情報を読出す。
記録制御部３８は、記録機構２４を制御して、専用紙１０のラベルブロック１４の記録面１４ａに画像を記録する。記録制御部３８は、通常記録制御部３８ａと、ＶＯＩＤ記録制御部３８ｂとを備えているが、これらについては後述する。
表示制御部３９は、インジケーター２１を構成する各ＬＥＤに信号処理回路を介して駆動信号を出力して、各ＬＥＤを所定の態様で点灯／消灯させる。表示制御部３９は、報知部３９ａを備えているが、これについては後述する。
【００２５】
次いで、本実施形態に係る媒体処理装置２が、荷物ラベルを発行するときの基本的な動作について説明する。
図４は、媒体処理装置２が荷物ラベルを発行するときの動作を示すフローチャートである。なお、以下の説明では、専用紙１０の搬送は適切に行われているものとし、説明を省略する。
まず、媒体処理装置２の制御部２０の統括制御部３５は、ホストコンピューター３から荷物ラベルの発行を指示する制御コマンド（以下、「ラベル発行指示コマンド」という。）を受信したか否かを監視する（ステップＳＡ１）。
ここで、ラベル発行指示コマンドについて詳述する。
上述したように、荷物ラベルは、顧客から渡された荷物について、当該荷物を搭載すべき飛行機の便を特定するための情報が記録面に記録され、かつ、ＲＦＩＤタグ１１に書き込まれたラベルである。そして、ホストコンピューター３は、荷物ラベルの発行に際し、記録指示コマンドＣ１、及び、書込指示コマンドＣ２を含むラベル発行指示コマンドを生成し、媒体処理装置２に送信する。
記録指示コマンドＣ１とは、記録情報Ｄ１（識別情報）を含み、当該記録情報Ｄ１を、発行すべき荷物ラベルに対応するラベルブロック１４の記録面１４ａに記録することを指示する制御コマンドである。本実施形態では、記録情報Ｄ１には、（１）顧客の氏名等の
顧客に関する情報（顧客情報）、（２）荷物を搭載すべき飛行機の便を示す情報（便情報
）、（３）荷物を搭載すべき飛行機の便を示すバーコード（バーコード情報）の少なくと
もいずれかが含まれている。これら顧客情報、便情報、及び、バーコード情報の少なくともいずれかを含む記録情報Ｄ１が荷物ラベルの記録面に記録されることにより、当該記録情報Ｄ１を視認することによって、又は、バーコード情報をバーコードリーダーにより読み取ることによって、当該荷物ラベルが取り付けられた荷物を搭載すべき飛行機の便を特定できる。なお、実際には、記録情報Ｄ１に含まれる情報は任意であり、上記３つの情報以外の情報が含まれていてもよい。
また、ホストコンピューター３から記録指示コマンドＣ１でなく、記録情報Ｄ１のみ媒体処理装置２が受信するようにしてもよい。この場合、記録情報Ｄ１は、発行すべきラベルを識別するための識別情報に該当する。また、この場合、媒体処理装置２は、識別情報としての記録情報Ｄ１を受信した後、ステップＳＡ２以下の各処理を実行することとなる。
一方、書込指示コマンドＣ２とは、上記の記録情報Ｄ１に含まれる便情報と、現在日時を示す情報（時刻に関する情報。以下、「現在日時情報」という。）との組み合わせからなる書込情報Ｄ２について、ＲＦＩＤタグ１１への書き込みを指示する制御コマンドである。これら便情報と現在日時情報との組み合わせにより、荷物を搭載すべき飛行機の便を一意に特定することが可能であるため、実際に荷物を搭載すべき飛行機の便に応じて振分ける際には、図示せぬＲＦＩＤタグ１１のリーダーにより、ＲＦＩＤタグ１１から書込情報Ｄ２が読み出され、読出された書込情報に基づいて、搭載すべき飛行機の便が特定される。このように、書込情報Ｄ２は、荷物を搭載すべき飛行機の便を特定するために利用されるが、現在日時情報が不正確（現在日時を示していない）であると、書込情報Ｄ２に基づいて誤った飛行機の便が特定される事態が生じ得るため、不正確な現在日時情報を含む書込情報Ｄ２がＲＦＩＤタグ１１に書き込まれることを、確実に、防止する必要がある。
なお、本実施形態では、現在日時情報は、日付（○年○月○日）と、時刻（○時○分）との組み合わせからなる情報であるが、便情報との組み合わせによって飛行機の便を一意に特定できる情報であればよく、例えば、月日（○月○日）を示す情報であってもよい。
【００２６】
さて、ラベル発行指示コマンドを受信すると（ステップＳＡ１：ＹＥＳ）、統括制御部３５は、ラベル発行指示コマンドに含まれる書込指示コマンドＣ２を読み出す（ステップＳＡ２）。以下のステップＳＡ３〜６の処理は、統括制御部３５により書込指示コマンドＣ２が読み出されて実行されることにより行われる。
当該ラベル発行指示コマンドの記録指示コマンドＣ１に含まれる記録情報Ｄ１の各情報のうち、便情報を取得する（ステップＳＡ３）。
次いで、統括制御部３５は、ＲＴＣ情報読出部３６ｃからＲＴＣ２９のＲＴＣ揮発性メモリー２９ａに記憶された時刻情報データを取得し、現在日時情報を取得する（ステップＳＡ４）。
次いで、統括制御部３５は、ステップＳＡ３で取得した便情報と、ステップＳＡ４で取得した現在日時情報との組み合わせからなる書込情報Ｄ２を生成し（ステップＳＡ５）、ＲＦＩＤタグ読み書き制御部３７を制御して、リーダーライター機構１５を介して、ＲＦＩＤタグ１１に書込情報Ｄ２を書き込む（ステップＳＡ６）。
次いで、統括制御部３５は、ラベル発行指示コマンドに含まれる記録指示コマンドＣ１を読み出す（ステップＳＡ７）。以下のステップＳＡ８〜１０の処理は、統括制御部３５により記録指示コマンドＣ１が読み出されて実行されることにより行われる。
次いで、統括制御部３５は、記録指示コマンドＣ１に含まれる記録情報Ｄ１を取得し（ステップＳＡ８）、記録制御部３８の通常記録制御部３８ａに出力する（ステップＳＡ９）。通常記録制御部３８ａは、入力された記録情報Ｄ１に基づいて、当該記録情報Ｄ１に係る画像データを画像バッファーに展開する等の必要な処理を行い、記録機構２４を制御して、記録情報Ｄ１をラベルブロック１４の記録面１４ａに記録する（ステップＳＡ１０）。
以上のようにして、ＲＦＩＤタグ１１に書込情報Ｄ２（便情報＋現在日時情報）が書き込まれ、かつ、その記録面に記録情報Ｄ１（顧客情報＋便情報＋バーコード情報）が記録された荷物ラベルが発行される。
また、ホストコンピューター３から記録情報Ｄ１のみ媒体処理装置２が受信した場合であっても、統括制御部３５は、記録機構２４を制御して記録情報Ｄ１をラベルブロック１４の記録面１４ａに記録するとともに、自動的に、上記の記録情報Ｄ１に含まれる少なくともいずれかの情報と、現在日時情報との組み合わせからなる書込情報Ｄ２を生成し、ＲＦＩＤタグ読み書き制御部３７を制御して、リーダーライター機構１５を介して、ＲＦＩＤタグ１１に書込情報Ｄ２を書き込むようにしてもよい。
【００２７】
ところで、上述したように、ＲＦＩＤタグ１１に書き込まれた書込情報Ｄ２は、荷物を搭載すべき飛行機の便を特定するために利用されものであるが、現在日時情報が不正確（現在日時を示していない）であると、書込情報Ｄ２に基づいて誤った飛行機の便が特定される事態が生じ得るため、不正確な現在日時情報を含む書込情報Ｄ２がＲＦＩＤタグ１１に書き込まれることを、確実に、防止する必要がある。
このことを踏まえ、本実施形態に係る媒体処理装置２は、以下の動作を実行する。
【００２８】
図５は、媒体処理装置２の動作を示すフローチャートである。
まず、媒体処理装置２の制御部２０の統括制御部３５は、ステップＳＡ２以下の処理を開始する条件が成立したか否かを監視する（ステップＳＢ１）。
所定の条件とは、例えば、媒体処理装置２の電源がオンされたこと、ラベル発行指示コマンドを受信したこと、最後に荷物ラベルを発行してから所定の期間が経過したこと等であり、ユーザーが任意に設定できる構成となっている。
条件が成立した場合（ステップＳＢ１：ＹＥＳ）、統括制御部３５は、ＲＴＣ異常検出部３６ｂによりＲＴＣ２９に異常が発生しているか否かを検出させる（ステップＳＢ２）。
次いで、統括制御部３５は、ＲＴＣ２９に異常が発生しているか否かを判別し（ステップＳＢ３）、異常が発生していない場合（ステップＳＢ３：ＮＯ）、処理を終了する。
一方、ＲＴＣ２９に異常が発生していると判別した場合（ステップＳＢ３：ＹＥＳ）、統括制御部３５は、以後、ホストコンピューター３からラベル発行指示コマンドを受信した場合に当該コマンドに基づく記録情報Ｄ１の記録、及び、書込情報Ｄ２のＲＦＩＤタグ１１への書き込みを禁止する、または書き込みをしない（ステップＳＢ４）。このとき、統括制御部３５は、受信した記録指示コマンドＣ１や記録情報Ｄ１を破棄してもよい。
これにより、ＲＴＣ２９に異常が発生しており、従って、ＲＴＣ２９の計時に基づく現在日時情報が誤った情報（現在の日時を示していない情報）である可能性がある場合に、誤った現在日時情報を含む書込情報Ｄ２がＲＦＩＤタグ１１に書き込まれることが、確実に、防止される。
次いで、表示制御部３９の報知部３９ａは、統括制御部３５の制御の下、ＲＴＣ２９の異常に起因して荷物ラベルの発行が禁止されている旨を示す予め定められた態様で、インジケーター２１の各ＬＥＤを駆動し、その旨報知する（ステップＳＢ５）。これにより、ユーザーは、インジケーター２１を参照し、ＲＴＣ２９の異常に起因して荷物ラベルの発行が禁止されていることを迅速に認識できる。
次いで、記録制御部３８のＶＯＩＤ記録制御部３８ｂは、統括制御部３５の制御の下、記録機構２４を制御して、ＶＯＩＤ印刷を行う（ステップＳＢ６）。ＶＯＩＤ印刷とは、媒体処理装置２にＲＴＣ２９の異常を含む何らかのエラーが発生していることを示す予め定められた画像を、所定の態様でラベルブロック１４の記録面１４ａに記録することである。これにより、ユーザーは、ラベルブロック１４の記録面１４ａに記録された画像を参照することにより、ＲＴＣ２９の異常に起因して荷物ラベルの発行が禁止されている可能性があることを迅速に認識できる。
また、ＶＯＩＤ記録制御部３８ｂは、記憶部４０に書き込まれている「エラー」や「ＶＯＩＤ」を示す報知情報を読み出し、ラベルブロック１４の記録面１４ａに記録するようにしてもよい。記憶部４０には、報知情報を専用紙１０に記録する際の配置や方向、大きさ、文字種、色などの設定情報も含まれ、当該設定情報の少なくともいずれかに基づき専用紙１０へ記録する。
【００２９】
なお、ステップＳＢ４において禁止された記録情報Ｄ１の記録、及び、書込情報Ｄ２のＲＦＩＤタグ１１への書き込みは、ＲＴＣ２９の異常が解消されることにより、解除される構成となっている。ユーザーは、接触不良や、電池の残量不足等を解消した上で、上述したＲＴＣ時刻設定部３６ａの機能を利用して、ＲＴＣ２９の異常を解消可能である。
【００３０】
以上説明したように、本実施形態に係る媒体処理装置２は、ＲＴＣ２９と、ＲＴＣ２９の異常を検出するＲＴＣ異常検出部３６ｂと、専用紙１０のラベルブロック１４のＲＦＩＤタグ１１に無線通信により情報を書き込む情報書込部（リーダーライター機構１５、その他の付随する装置、機構）と、専用紙１０のラベルブロック１４の記録面１４ａに記録する記録部（記録機構２４、その他の付随する装置、機構）と、ホストコンピューター３から受信したラベル発行指示コマンドに基づいて、記録情報Ｄ１を記録すると共に、ＲＴＣ２９の計時に基づいて書込情報Ｄ２の書き込みを実行する統括制御部３５（制御部）と、を備えている。
そして、統括制御部３５は、ＲＴＣ２９の異常が検出された場合、ホストコンピューター３から受信したラベル発行指示コマンドに基づく記録情報Ｄ１の記録及び書込情報Ｄ２の書き込みを禁止する。
この構成によれば、ＲＴＣ２９の異常が検出された場合、統括制御部３５は、書込情報Ｄ２の書き込みを禁止するため、書込情報Ｄ２に含まれる現在日時情報について、ＲＴＣ２９の計時に基づくものであるという特性を利用して、誤った情報がＲＦＩＤタグ１１に書き込まれることを確実に防止できる。さらに、上記構成によれば、統括制御部３５は、書込情報Ｄ２の書き込みの禁止と併せて、ラベルブロック１４への記録情報Ｄ１の記録も禁止するため、ラベルブロック１４への記録が正常に行われており、従って、ＲＦＩＤタグ１１への書込情報Ｄ２の書き込みも正常に行われているとの誤認が生じることを防止でき、かつ、ラベルブロック１４への記録が禁止されていることをユーザーに認識させることにより、ＲＴＣ２９について異常が発生していることをユーザーに認識させることができる。
【００３１】
また、本実施形態に係る媒体処理装置２は、ＲＴＣ異常検出部３６ｂによりＲＴＣ２９の異常が検出された場合、その旨報知する報知部３９ａをさらに備える。
この構成によれば、ユーザーは、迅速に、報知部３９ａによる報知に基づいてＲＴＣ２９に異常が発生していることを認識でき、対処することが可能となる。
【００３２】
また、本実施形態では、報知部３９ａは、ＲＴＣ異常検出部３６ｂによりＲＴＣ２９の異常が検出された場合、記録機構２４を制御して、ラベルブロック１４の記録面１４ａにその旨記録する。
この構成によれば、記録機構２４を有している、という構成上の特性を効果的に利用して、ユーザーに対して、ＲＴＣ２９に異常が発生していることをより確実に認識させることができる。
【００３３】
また、本実施形態では、ＲＴＣ異常検出部３６ｂは、ＲＴＣ２９が作動していないことが検出された場合、又は、ＲＴＣ２９の計時がリセットされていることが検出された場合、ＲＴＣ２９の異常を検出する。
この構成によれば、ＲＴＣ２９の特性を利用して、ＲＴＣ２９の異常を適切に検出することができる。
【００３４】
なお、上述した実施の形態は、あくまでも本発明の一態様を示すものであり、本発明の範囲内で任意に変形および応用が可能である。
例えば、上述した実施形態に係る媒体処理装置２の記録ヘッド２５は、サーマル式であったが、記録形式はこれに限らずインクジェット式、ドットインパクト式等何であってもよく、また、媒体のＩＣタグとの通信規格は何であってもよい。すなわち、本発明は、ＲＴＣ２９に基づく情報をＩＣタグに書き込む装置に広く適用可能である。
また例えば、図１、３に示す各機能ブロックはハードウェアとソフトウェアの協働により任意に実現可能であり、特定のハードウェア構成を示唆するものではない。また、媒体処理装置２の各機能ブロックの機能を、媒体処理装置２に外部接続される別の装置に持たせるようにしてもよい。また、媒体処理装置２は、外部接続される記憶媒体に記憶させたプログラムを実行することにより、各種動作を実行するようにしてもよい。
【符号の説明】
【００３５】
１…媒体処理システム、２…媒体処理装置、３…ホストコンピューター（制御装置）、１０…専用紙（媒体）、１１…ＲＦＩＤタグ（ＩＣタグ）、１５…リーダーライター機構（情報書込部）、２０…制御部、２４…記録機構（記録部）、２５…記録ヘッド（記録部）、２９…ＲＴＣ（リアルタイムクロック）、３５…統括制御部（制御部）、３６ｂ…ＲＴＣ異常検出部（異常検出部）、３９ａ…報知部、４０…記憶部。
【図１】
0005910283.tif 000002
【図２】
0005910283.tif 000003
【図３】
0005910283.tif 000004
【図４】
0005910283.tif 000005
【図５】
0005910283.tif 000006